(57)【要約】      （修正有）【課題】水田の灌漑用などに用いられる揚水水車において、水流の力を効率的に受けることが出来、水車の回転力を高めることが可能となり、さらに汲んだ水をより高くまで持ち上げることができる揚水水車を提供する。【解決手段】揚水水車において、柄杓３が羽根板２の裏側に斜めに取り付けられ、スポークが接合部を介して主スポーク４と副スポーク６により構成され、副スポークが主スポークに対して一定角度まで自由に動くようにしたことを特徴とする。【選択図】図１
0003186158.tif 000002
【実用新案登録請求の範囲】
【請求項１】
水車軸とスポークと羽根板と柄杓によって構成される揚水水車において、
上記柄杓が水流を受けない羽根板の裏側かつ斜めに取り付けられたことを特徴とする揚水水車。
【請求項２】
上記スポークが接合部を介して主スポークと副スポークにより構成され、
副スポークは主スポークに対して一定角度まで自由に動くことを特徴とする請求項１に記載の揚水水車。
【考案の詳細な説明】
【技術分野】
【０００１】
本考案は、水田の灌漑用などに用いられる揚水水車に関するものである。
【背景技術】
【０００２】
特許文献１の従来例に示されるように、従来から一般的に使用されてきた揚水水車は図６に示す水流を受ける羽根板を有する水車とその水車の側面に配置される水を汲む柄杓により構成されていた。また、図７、図８、図９に示すように、特許文献１には水車の直径を大きくしても風の影響を受けにくく騒音を抑えた揚水水車が示されている。
【先行技術文献】
【特許文献】
【０００３】
【特許文献１】特開２００１−１６５０２７号
【考案の概要】
【考案が解決しようとする課題】
【０００４】
従来の揚水水車は羽根板を有する水車部分と水を汲み上げる柄杓部分が並列に並んでいるため、川幅が狭いところでは羽根板の幅を狭くせざるを得なかった。そのため、水を受ける面積が狭くなり、水車の回転力が弱まる結果になっていた。逆に言うと、水車の回転力を確保するには一定以上の川幅を確保しなければならなかった。本考案は、以上のような欠点をなくすためになされたものである。
【課題を解決するための手段】
【０００５】
第１の考案は、水車軸とスポークと羽根板と柄杓によって構成される水車において、上記柄杓が水流を受けない羽根板の裏側かつ斜めに取り付けられたことを特徴とする。この構造により、羽根板の幅を広げることが出来るので、水流の力を効率的に受けることが出来、水車の回転力を高めることが可能となる。また、柄杓を斜めに取り付けることにより汲んだ水を水車の横の集水器に流すことができる。さらに、柄杓を水車の回転方向に少し突き出す構造にすることもできる。
【０００６】
また、第２の考案は、第１の考案に加え上記スポークが接合部を介して主スポークと副スポークにより構成され、副スポークは主スポークに対して一定角度まで自由に動くことを特徴とする。この構造により、柄杓の傾きが緩和されるので、汲んだ水をより高くまで持ち上げることができ、その結果、高い位置の集水器に水を汲み上げることが出来るようになる。特開２０１２―２２５１８２号に羽根板を可動にした従来技術が示されているが、これは水上に出た後に羽根板が受ける負荷を減少させるものであり、汲んだ水を高くまで持ち上げるような効果は全く無い。また、特開２０１０−１５１１１７号にも羽根板を可動にした従来技術が示されているが、これは復動側（流れと反対方向）に掛かる水流等の抵抗を減少させるものであり、汲んだ水を高くまで持ち上げるような効果は全く無い。
【考案の効果】
【０００７】
本考案の揚水水車は、上述したように、従来の揚水水車に比べ羽根板の幅を広くすることができるので、回転力を強くすることができる。また、本考案の揚水水車は川の水を従来の揚水水車に比べ高い位置の集水器まで汲み上げることができるので、従来の揚水水車と同等能力を有する揚水水車を小型にすることが可能となる。さらに、副スポークは主スポークに対して一定角度まで自由に動くようにすることにより、風圧の影響を抑えることも可能となる。
【図面の簡単な説明】
【０００８】
【図１】本考案の揚水水車の側面図である。
【図２】本考案の主スポーク４と副スポーク６間の接合部５の詳細図である。
【図３】本考案の揚水水車で汲み上げられた水が集水器に排出される様子を示した図である。
【図４】本考案の揚水水車の羽根板に柄杓が取り付けられた図である。
【図５】本考案の揚水水車に用いられる集水器の図である。
【図６】従来型の揚水水車の側面図である。
【図７】別の従来型の揚水水車の側面図である。
【図８】図７に示す従来型の揚水水車の正面図である
【図９】別の従来型の揚水水車の側面図である。
【考案を実施するための形態】
【０００９】
以下に、本考案を実施するための形態について説明する。
【００１０】
図1に本考案の揚水水車の側面図を示す。本考案の揚水水車は、水車軸１、主スポーク４、副スポーク６、羽根板２、柄杓３により構成される。副スポーク６は主スポーク４に接合部５を介して接合されている。羽根板２は副スポーク６に固定され、柄杓３は羽根板２の水流を受けない裏面に斜めに取り付けられている。柄杓３の取り付けは、川の水量や水流に応じて一つおきの羽根板２に取り付けることもできる。
【００１１】
図２に本考案の副スポーク６が接合部５を介して主スポーク４に接合されている様子を示す。上記接合部５により副スポーク６が主スポーク４と一直線上になる位置から、羽根板２が水流を受ける側に一定の角度まで自由に動くことができる。
【００１２】
図３に本考案の揚水水車で汲み上げられた水が集水器７に排出される様子を示す。図４に本考案の揚水水車の羽根板２に柄杓３が取り付けられた図を示す。図５に本考案の揚水水車に用いられる集水器７の図を示す。
【００１３】
本考案の揚水水車は水中にある羽根板２に水流が当たり水車の回転力を生み出しており、同時に羽根板２の水流の当たらない裏側に設けられた柄杓３に水を満たす構造になっている。柄杓３が羽根板２の裏側に取り付けられているので、羽根板２を川幅いっぱいに広げることができ、水車の回転力を高めることが可能となる。
【００１４】
また、羽根板２に取り付けられた柄杓３は、揚水水車が回転して柄杓３に満たされた水が高く持ち上げられるにつれ傾けられるため、ある一定の高さまで来ると汲み上げられた水がこぼれ落ち、集水器７に集められることになる。図１より、接合部５によって自由に動くことができる副スポーク６に羽根板２と柄杓３を取り付けることにより、汲み上げた水をより高く零さずに持ち上げることができることが分かる。また、図３に示すように、柄杓３が羽根板２に対して傾けて取り付けることにより、川から汲み上げた水を揚水水車の横に配置した集水器７に集めることが可能になる。
【００１５】
また、接合部５で曲がった副スポーク６に取り付けられた羽根板２と柄杓３が、水を排出した後、主スポーク４と一直線になるように振り戻り、その反動力も揚水水車の回転力を高める効果に寄与する。
【符号の説明】
【００１６】
１  水車軸
２  羽根板
３  柄杓
４  主スポーク
５  接合部
６  副スポーク
７  集水器
８  地面
９  川底
１０  川の水位
【図１】
0003186158.tif 000003
【図２】
0003186158.tif 000004
【図３】
0003186158.tif 000005
【図４】
0003186158.tif 000006
【図５】
0003186158.tif 000007
【図６】
0003186158.tif 000008
【図７】
0003186158.tif 000009
【図８】
0003186158.tif 000010
【図９】
0003186158.tif 000011